(57)【要約】【課題】カプラを用いることなく測定深度を調整可能となる光音響波検出装置を提供する。【解決手段】被検体内に光を照射可能に構成される光照射部と、前記光照射部に近接して配置され、前記光照射部によって照射された光により被検体内にて発生する光音響波を検出する検出部と、を備え、前記光照射部は、少なくとも光軸が前記検出部側に向くような状態になることが可能に回動可能な光源部を有している光音響波検出装置としている。【選択図】図１
2016049214.tif 000002
【特許請求の範囲】
【請求項１】
被検体内に光を照射可能に構成される光照射部と、
前記光照射部に近接して配置され、前記光照射部によって照射された光により被検体内にて発生する光音響波を検出する検出部と、を備え、
前記光照射部は、少なくとも光軸が前記検出部側に向くような状態になることが可能に回動可能な光源部を有している、光音響波検出装置。
【請求項２】
前記光照射部は、筐体部と、前記光源部が載置されて回動可能な基台部と、を更に備え、
前記筐体部は、前記基台部の回動の回転軸を中心とした円弧上の第１底面部を有し、
前記基台部は、前記第１底面部と同心の円弧状であって前記第１底面部との間に隙間を設けられた第２底面部を有することを特徴とする請求項１に記載の光音響波検出装置。
【請求項３】
前記基台部と前記筐体部とは、略同一の屈折率を有することを特徴とする請求項２に記載の光音響波検出装置。
【請求項４】
前記隙間には、前記基台部と同一の屈折率を有した潤滑剤が設けられることを特徴とする請求項３に記載の光音響波検出装置。
【請求項５】
前記光照射部は、前記光源部が載置されて回動可能な基台部と、一定の回転角度ごとに前記基台部に設けられた第１係止部と係止される第２係止部と、を有することを特徴とする請求項１〜請求項４のいずれか１項に記載の光音響波検出装置。
【請求項６】
前記第１係止部は、回転角度ごとに前記基台部の二か所に交互に設けられることを特徴とする請求項５に記載の光音響波検出装置。
【請求項７】
前記検出部を挟むように二つ設けられた前記光照射部において、前記光源部は個別に回動可能であることを特徴とする請求項１〜請求項６のいずれか１項に記載の光音響波検出装置。
【請求項８】
前記光源部は、ＬＥＤ素子から構成されることを特徴とする請求項１〜請求項７のいずれか１項に記載の光音響波検出装置。
【請求項９】
前記光源部は、半導体レーザー素子から構成されることを特徴とする請求項１〜請求項７のいずれか１項に記載の光音響波検出装置。
【請求項１０】
前記光源部は、有機発光ダイオード素子から構成されることを特徴とする請求項１〜請求項７のいずれか１項に記載の光音響波検出装置。
【請求項１１】
請求項１〜請求項１０のいずれか１項に記載の光音響波検出装置と、前記光音響波検出装置により検出された検出信号に基づいて光音響画像を生成する画像生成部と、を備えた光音響画像化装置。
【発明の詳細な説明】
【技術分野】
【０００１】
本発明は、光音響波検出装置に関する。
【背景技術】
【０００２】
従来、光源から被検体内に光を出力し、被検体内にて光が吸収されることにより発生した弾性波である光音響波（超音波）を検出し、その検出信号に基づき画像化を行う技術である光音響イメージングが知られている。
【０００３】
例えば、特許文献１には、超音波振動子と、光源から発した光をプローブ本体まで導光する光ファイバーと、光ファイバーと光学的に結合された光入射端から超音波振動子の近傍に配された光出射端まで導光する導光板を備え、導光板においては少なくとも光出射端の一部が外力に応じて弾性変形するような超音波プローブが開示されている。
【０００４】
上記特許文献１では、超音波プローブに異なるカプラを取り付けることで、光の出射方向を変化させて、測定深度を変化させることができるとしている。
【先行技術文献】
【特許文献】
【０００５】
【特許文献１】特開２０１３−１５８４２７号公報（第４図、第５図等）
【発明の概要】
【発明が解決しようとする課題】
【０００６】
しかしながら、上記特許文献１では、測定深度に依ってカプラを脱着させる必要があり、作業性の点で問題がある。また、数種類のカプラを用意する必要があり、コスト面でも問題がある。また、カプラの装着により重量が増加する問題もある。
【０００７】
更には、被検体内にて発生した光音響波はカプラを透過して超音波振動子により受信されるので、カプラによって検出信号が減衰され、検出信号のＳ／Ｎ比が悪化する問題もある。特に光源としてＬＥＤ光源を用いた場合は、レーザー光に比べて出射光のエネルギーが非常に小さいので、発生する光音響波もエネルギーが小さく、上記問題点がより顕著となる。
【０００８】
上記問題点に鑑み、本発明は、カプラを用いることなく測定深度を調整可能となる光音響波検出装置を提供することを目的とする。
【課題を解決するための手段】
【０００９】
上記目的を達成するために本発明の一態様に係る光音響波検出装置は、
被検体内に光を照射可能に構成される光照射部と、
前記光照射部に近接して配置され、前記光照射部によって照射された光により被検体内にて発生する光音響波を検出する検出部と、を備え、
前記光照射部は、少なくとも光軸が前記検出部側に向くような状態になることが可能に回動可能な光源部を有している構成としている。
【００１０】
このような構成によれば、カプラを用いることなく、測定深度を調整可能となる。また、少なくとも光軸が検出部側に向くような状態に光源部はなることができるので、検出部直下における光量を増加させることもできる。
【００１１】
また、上記構成において、前記光照射部は、筐体部と、前記光源部が載置されて回動可能な基台部と、を更に備え、
前記筐体部は、前記基台部の回動の回転軸を中心とした円弧上の第１底面部を有し、
前記基台部は、前記第１底面部と同心の円弧状であって前記第１底面部との間に隙間を設けられた第２底面部を有することとしてもよい。
【００１２】
このような構成によれば、第２底面部が第１底面部に対して摺動するように基台部が回動することで光源部が回動することができる。
【００１３】
また、上記構成において、前記基台部と前記筐体部とは、略同一の屈折率を有することとしてもよい。
【００１４】
また、更に、前記隙間には、前記基台部と同一の屈折率を有した潤滑剤が設けられることとしてもよい。このような構成によれば、光源部から出射された光は屈折せずに透過して外部に出力される。
【００１５】
また、上記いずれかの構成において、前記光照射部は、前記光源部が載置されて回動可能な基台部と、一定の回転角度ごとに前記基台部に設けられた第１係止部と係止される第２係止部と、を有することとしてもよい。
【００１６】
このような構成によれば、一定の回転角度ごとに基台部がロックされるため、光源部の角度調整が容易となる。
【００１７】
また、上記構成において、前記第１係止部は、回転角度ごとに前記基台部の二か所に交互に設けられることとしてもよい。
【００１８】
このような構成によれば、小さいスペースでも第１係止部を設けることが可能となり、基台部を小型化できる。
【００１９】
また、上記いずれかの構成において、前記検出部を挟むように二つ設けられた前記光照射部において、前記光源部は個別に回動可能であることとしてもよい。
【００２０】
このような構成によれば、二つの各光照射部において、光源部を異なる角度で調整できるので、検出部を被検体に対して傾けたような場合でも測定したい位置に応じて適切な検出信号を得ることができる。
【発明の効果】
【００２１】
本発明の光音響波検出装置によると、カプラを用いることなく測定深度を調整可能となる。
【図面の簡単な説明】
【００２２】
【図１】本発明の一実施形態に係る光音響波検出装置の斜視図である。
【図２】本発明の一実施形態に係る光音響波検出装置の分解斜視図である。
【図３】本発明の一実施形態に係る光音響画像化装置のブロック構成図である。
【図４】ユニット上部ケースを外した状態での光照射ユニットの斜視図である。
【図５】ユニット上部ケースを外した状態での光照射ユニットの平面図である。
【図６Ａ】図４におけるＡ−Ａ断面図である。
【図６Ｂ】図６Ａの状態から光源を３０°だけ傾けた状態を示す断面図である。
【図７】本発明の一実施形態に係るロック機構におけるピン部材の斜視図である。
【図８】本発明の一実施形態に係るロック機構周辺の構成を示す斜視図である。
【図９】本発明の一実施形態に係る光源下部カバーの一端を示す斜視図である。
【図１０】本発明の一実施形態に係る光源下部カバーの図９とは他端側を示す斜視図である。
【発明を実施するための形態】
【００２３】
以下に本発明の一実施形態について図面を参照して説明する。本発明の一実施形態に係る光音響波検出装置の概略外観図を図１に示し、分解斜視図を図２に示す。本実施形態に係る光音響波検出装置は、後述するように光音響画像化装置の一部をなすものである。
【００２４】
図１に示す光音響波検出装置１は、超音波プローブ１１と、光照射ユニット１２Ａ及び１２Ｂを備えている。超音波プローブ１１は、超音波を被検体内に出力し、被検体内にて反射された超音波を検出する探触子であり、ここでは例としてリニア方式のものとしている。なお、超音波プローブはその他にも例えばコンベックス方式やセクタ方式のものとしてもよい。
【００２５】
被検体内に光を照射する光照射ユニット１２Ａ及び１２Ｂは、それぞれ超音波プローブ１１の正面側、背面側に超音波プローブ１１を挟み込むように配される。光照射ユニット１２Ａ及び１２Ｂは超音波プローブ１１に固定されており、固定方法としては、例えばビスや接着剤等により固定されていてもよいし、例えばスライド方式等によって脱着可能に固定されてもよい。
【００２６】
また、図２に示すように、光照射ユニット１２Ａは、ユニット上部ケース１２１と、ＬＥＤ光源ユニット１２２と、ユニット下部ケース１２３と、電源ケーブル１２４を備えている。なお、光照射ユニット１２Ｂも同様の構成となっている。ＬＥＤ光源ユニット１２２はユニット下部ケース１２３内に配され、ユニット下部ケース１２３の開口部をユニット上部ケース１２１により封じることで上下から成るケースにより収容される。ＬＥＤ光源ユニット１２２に電流を供給するための電源ケーブル１２４は、ユニット上部ケース１２１に設けられた孔部を通されるよう配される。
【００２７】
ここで、図３に、光音響波検出装置１を含んだ本実施形態に係る光音響画像化装置のブロック構成を示す。図３に示す光音響画像化装置１００は、光音響波検出装置１と、駆動電源部１０１と、駆動電源部１０１から電力を供給される光源駆動部１０２と、光音響波検出装置１による検出信号に基づいて画像生成処理を行う画像生成部３０と、画像生成部３０から出力された画像信号に基づき画像表示を行う画像表示部４０を備えている。なお、例えば駆動電源部１０１、光源駆動部１０２、画像生成部３０、及び画像表示部４０は、実際には一つの筐体内（本体部）に設けられてもよい。
【００２８】
光音響波検出装置１に備えられる超音波プローブ１１（図１）は、音響電気変換部１１１を内蔵している。音響電気変換部１１１は、生体である被検体１５０表面に押し当てられる超音波プローブ１１の先端部（図１のＺ方向下端部）近傍に、正面左右方向（図１のＸ方向）に複数配列される不図示の超音波振動子から構成される。
【００２９】
この超音波振動素子は、電圧を印加すると振動により超音波を発生し、振動（超音波）が加わると電圧を発生する圧電素子である。なお、音響電気変換部１１１と被検体１５０表面の間には音響インピーダンスの差を調整する調整層（不図示）が介在している。この調整層は、超音波振動素子から発生した超音波を効率良く被検体１５０内へ伝播し、且つ被検体１５０内からの超音波（光音響波も含む）を効率良く超音波振動素子に伝播させる機能を有する。
【００３０】
ＬＥＤ光源ユニット１２２（図２）に含まれるＬＥＤ光源部１０３は、波長の異なるＬＥＤ素子１０３Ａ及び１０３Ｂを備えている。ＬＥＤ素子１０３Ａ及び１０３Ｂは、光源駆動回路１０２Ａ及び１０２Ｂからそれぞれ送られる駆動信号によってパルス発光し、被検体１５０へＬＥＤ光を照射する。光源駆動部１０２からＬＥＤ光源ユニット１２２への駆動信号の出力に電源ケーブル１２４（図２）が用いられる。
【００３１】
ＬＥＤ素子１０３Ａ又は１０３Ｂから出射されたパルス光は、被検体１５０内へ散乱しながら入射され、被検体１５０内の光吸収体（生体組織）により吸収される。光吸収体が光を吸収すると、断熱膨張により弾性波である光音響波（超音波）が発生する。発生した光音響波は、被検体１５０内を伝播し、超音波振動素子（音響電気変換部１１１）により電圧信号に変換される。
【００３２】
また、超音波振動素子（音響電気変換部１１１）は超音波を発生して被検体１５０内へ超音波を送り、被検体１５０内で反射された超音波を受信して電圧信号を生成することも行う。つまり、本実施形態の光音響画像化装置１００は、光音響イメージングに加えて、超音波イメージングも可能となっている。
【００３３】
画像生成部３０は、受信回路３０１、Ａ／Ｄコンバータ３０２、受信メモリ３０３、データ処理部３０４、光音響画像再構成部３０５、検波・対数コンバータ３０６、光音響画像構築部３０７、超音波画像再構成部３０８、検波・対数コンバータ３０９、超音波画像構築部３１０、画像合成部３１１、制御部３１２、及び送信制御回路３１３を備えている。
【００３４】
受信回路３０１は、複数の超音波振動素子から一部の超音波振動素子を選択し、選択された超音波振動素子についての電圧信号（検出信号）を増幅させる処理を行う。
【００３５】
光音響イメージングの場合は、例えば、複数の超音波振動素子を正面左右方向（図１の
方向）に隣接する２つの領域に分割し、１回目の光照射のときはそのうち１つの領域を選択し、２回目の光照射のときに残りの１つの領域を選択する。また、超音波イメージングの場合は、例えば、複数の超音波振動素子のうち一部の隣接する超音波振動素子から成るグループを切替えながら超音波を発生させ（所謂リニア電子スキャン）、受信回路３０１でも上記グループを切替えながら選択する。
【００３６】
Ａ／Ｄコンバータ３０２は、受信回路３０１からの増幅後の検出信号をデジタル信号に変換する。受信メモリ３０３は、Ａ／Ｄコンバータ３０２からのデジタル信号を保存する。データ処理部３０４は、受信メモリ３０３に保存された信号を光音響画像再構成部３０５または超音波画像再構成部３０８へ振り分ける機能を有する。
【００３７】
光音響画像再構成部３０５は、光音響波の検出信号に基づき位相整合加算処理を行い、光音響波のデータを再構成する。検波・対数コンバータ３０６は、再構成された光音響波のデータについて対数圧縮処理、及び包絡線検波処理を行う。そして、光音響画像構築部３０７は、検波・対数コンバータ３０６による処理後のデータを画素毎の輝度値データに変換する。即ち、図１におけるＸＺ平面上の画素毎の輝度値データとして光音響画像データ（グレースケール）が生成される。
【００３８】
一方、超音波画像再構成部３０８は、超音波の検出信号に基づき位相整合加算処理を行い、超音波のデータを再構成する。検波・対数コンバータ３０９は、再構成された超音波のデータについて対数圧縮処理、及び包絡線検波処理を行う。そして、超音波画像構築部３１０は、検波・対数コンバータ３０９による処理後のデータを画素毎の輝度値データに変換する。即ち、図１におけるＸＺ平面上の画素毎の輝度値データとして超音波画像データ（グレースケール）が生成される。
【００３９】
画像合成部３１１は、上記光音響画像データと上記超音波画像データを合成し、合成画像データを生成する。ここで画像合成については、超音波画像に対して光音響画像を重畳させてもよいし、光音響画像と超音波画像を並列に並べてもよい。画像表示部４０は、画像合成部３１１により生成された合成画像データに基づいて画像を表示する。
【００４０】
なお、画像合成部３１１は、光音響画像データまたは超音波画像データのいずれかをそのまま画像表示部４０へ出力してもよい。
【００４１】
また、制御部３１２は、光源駆動部１０２に波長制御信号を送信し、波長制御信号を受信した光源駆動部１０２は、ＬＥＤ素子１０３Ａ又は１０３Ｂのいずれか一方を選択する。そして、制御部３１２から光トリガー信号が光源駆動部１０２に送信されると、光源駆動部１０２は、選択されたＬＥＤ素子１０３Ａ又は１０３Ｂに駆動信号を送信する。
【００４２】
また、送信制御回路３１３は、制御部３１２からの指示により、音響電気変換部１１１に駆動信号を送信し、超音波を発生させる。なお、制御部３１２は、他にも受信回路３０１等を制御する。
【００４３】
ここで、先述したように、ＬＥＤ素子１０３Ａ及び１０３Ｂは、互いに異なる波長の光を発光するものとしている。波長の設定に関しては、測定対象に対する吸収率の高い波長を選択すればよい。例えば、ＬＥＤ素子１０３Ａの波長は、血液中の酸化ヘモグロビンに対する吸収率の高い７６０ｎｍとし、ＬＥＤ素子１０３Ｂの波長は、血液中の還元ヘモグロビンに対する吸収率の高い８５０ｎｍとすればよい。この場合、例えばＬＥＤ素子１０３Ａを発光させて被検体１５０に７６０ｎｍの波長の光を照射すると、被検体１５０内の動脈血管や腫瘍等に含まれる血液中の酸化ヘモグロビンに光が吸収されることで光音響波が発生し、光音響画像構築部３０７において動脈血管や腫瘍等を含む光音響画像が生成される。また、ＬＥＤ素子１０３Ａ及び１０３Ｂは、同じ波長の光を発光するものとしてもよい。
【００４４】
次に、光照射ユニット１２Ａの詳細な構成について説明する。なお、光照射ユニット１２Ｂについての構成は同様であるので説明は省く。
【００４５】
ユニット上部ケース１２１を外した状態での光照射ユニット１２Ａの斜視図を図４に、平面図を図５に示す。
【００４６】
図４、図５に示すように、正面左右方向（Ｘ方向）を長手方向とするユニット下部ケース１２３の内部に光源ユニット１２２が収容されて配置される。光源ユニット１２２は、Ｘ方向に延在する光源上部カバー１２２１と、Ｘ方向に延在する基台部１２２２Ｃ（一部が光源上部カバー１２２１によって覆われる）の両端部に壁部１２２２Ａ及び１２２２Ｂが突設された構成である光源下部カバー１２２２と、シャフト１２２３と、第１ギア１２２４から構成されている。また、後述するように、光源ユニット１２２は、光源下部カバー１２２２と光源上部カバー１２２１から成る光源カバーによって収容されるＬＥＤ光源部１０３（図３）（図４、５では不図示）も備えている。
【００４７】
シャフト１２２３は、壁部１２２２Ａ及び１２２２Ｂの壁面に設けられた各孔部を通され、壁部１２２２Ａの頂部に設けられたネジ孔部Ｈ１及び壁部１２２２Ｂの頂部に設けられたネジ孔部Ｈ２に螺合されたイモネジ（不図示）によって壁部１２２２Ａ及び１２２２Ｂ（即ち光源下部カバー１２２２）に固定される。また、シャフト１２２３には、壁部１２２２Ａの外側において第１ギア１２２４が圧入により固定される。そして、シャフト１２２３の両端部はユニット下部ケース１２３の各壁面に回転可能に支持され、Ｃリングによって固定される。
【００４８】
また、ユーザが把持する把持部を有した調整ネジ１２５の軸部がユニット下部ケース１２３の壁面に回転可能に支持され、Ｃリングによって固定される。そして、第１ギア１２２４と噛み合う第２ギア１２６が上記軸部の先端部に圧入により固定される。これにより、調整ネジ１２５の把持部を把持して回動させることで、第２ギア１２６の回転が第１ギア１２２４に伝達され、シャフト１２２３、光源下部カバー１２２２、光源上部カバー１２２１、及び不図示のＬＥＤ光源部が一体となって回動する。
【００４９】
ここで、第２ギア１２６の歯数は、第１ギア１２２４のそれよりも少なくしているので、調整ネジ１２６を多く回しても第１ギア１２２４はあまり回転せず、ＬＥＤ光源部の角度調整を行い易くしている。なお、光照射ユニット１２Ａと１２Ｂ（図１）とで個別に調整ネジ１２５を回動させることでＬＥＤ光源部を個別に角度調整することができるので、対称的に調整することも、異なる角度で調整することも可能である。
【００５０】
また、図４におけるＡ−Ａ断面図を図６Ａに示す。図６Ａに示すように、光源下部カバー１２２２（ハッチング部）が有する基台部１２２２Ｃに設けられた凹部Ｒ内部にＬＥＤ光源部１０３が収容される。そして、ＬＥＤ光源部１０３の保護のため、凹部Ｒによる開口部が光源上部カバー１２２１によって封じられる。
【００５１】
また、ユニット下部ケース１２３の内部側の底面には、シャフト１２２３の回転軸を中心とした円弧状の底面部Ｃ１が設けられる。基台部１２２２Ｃの底面にも底面部Ｃ１と同心である円弧状の底面部Ｃ２が形成される。そして、底面部Ｃ１と底面部Ｃ２の間に設けられる若干の隙間にジェルやグリス等の潤滑剤が塗布される。これにより、調整ネジ１２５（図４）を回動させることで、底面部Ｃ２が底面部Ｃ１に対してシャフト１２２３の回転軸周りに滑らかに摺動して回動する。図６ＡのようにＬＥＤ光源部１０３の光軸が真下（Ｚ方向の下方向）を向いた状態を角度ゼロとして、ＬＥＤ光源部１０３を角度３０°となるよう回動させた状態を図６Ｂに示す。
【００５２】
なお、基台部１２２２Ｃ（光源下部カバー１２２２）とユニット下部ケース１２３とは、同じ屈折率を有した材料にて構成されていることが望ましい。更に、上記潤滑剤についても同じ屈折率の材料にて構成されることが望ましい。ＬＥＤ光源部１０３から基台部１２２２Ｃ側へ出射された光が屈折せずに透過して光源下部カバー１２２２から外部へ出射されるからである。また、基台部１２２２Ｃとユニット下部ケース１２３は、近赤外線（波長：６００ｎｍ〜１０００ｎｍ）を透過させる材料（アクリル等）で構成されることが望ましい。
【００５３】
次に、図７〜図１０を用いて回転ロック機構について説明する。光源下部カバー１２２２のうち壁部１２２２Ａ側付近に設けられた回転ロック機構を示す斜視図を図８に示す。
【００５４】
図８に示すように、ユニット下部ケース１２３の内部には、壁部１２２２Ａ付近に枠部１２３１が形成され、枠部１２３１内部に収容されるようピン部材１２７及びバネ１２８が配される。ピン部材１２７の拡大斜視図を図７に示す。図７に示すように、ピン部材１２７は、先端へ向かうほど幅が小さくなる部分を有した爪部１２７Ａを含めた略十字形状の部分を有している。
【００５５】
ピン部材１２７は、爪部１２７Ａが枠部１２３１に設けられた孔部１２３１Ａを挿通されるよう枠部１２３１内に収容される（図８）。そして、ピン部材１２７は、バネ１２８によって基台部１２２２Ｃへ押し付けられるよう付勢される。このような枠部１２３１、ピン部材１２７、及びバネ１２８による構成は、壁部１２２２Ｂ（図４）側にも同様に設けられる。以下、壁部１２２２Ｂ側における爪部を便宜上、爪部１２７Ａ’とする。
【００５６】
ここで、図９に示すように、基台部１２２２Ｃの壁部１２２２Ａ側の側面には、爪部１２７Ａと係合させるための凹部Ｐ１及びＰ２が形成される。また、図１０に示すように、基台部１２２２Ｃの壁部１２２２Ｂ側の側面には、爪部１２７Ａ’と係合させるための凹部Ｐ３及びＰ４が形成される。
【００５７】
爪部１２７Ａが凹部Ｐ１と係合した状態では、ＬＥＤ光源部１０３は真下を向く（即ち角度ゼロの状態）。この状態から調整ネジ１２５を回動させると、基台部１２２２Ｃ（光源下部カバー１２２２）の回動により、爪部１２７Ａは凹部Ｐ１との係合が解除され、爪部１２７Ａ’が凹部Ｐ３に係合される。この状態では、ＬＥＤ光源部１０３の光軸は角度１０°の状態となる。
【００５８】
更に、調整ネジ１２５を回動させると、基台部１２２２Ｃ（光源下部カバー１２２２）の回動により、爪部１２７Ａ’は凹部Ｐ３との係合が解除され、爪部１２７Ａが凹部Ｐ２に係合される。この状態では、ＬＥＤ光源部１０３の光軸は角度２０°の状態となる。更に、調整ネジ１２５を回動させると、基台部１２２２Ｃ（光源下部カバー１２２２）の回動により、爪部１２７Ａは凹部Ｐ２との係合が解除され、爪部１２７Ａ’が凹部Ｐ４に係合される。この状態では、ＬＥＤ光源部１０３の光軸は角度３０°の状態となる（即ち、図６Ｂの状態）。
【００５９】
このように、１０°ごとの一定角度でＬＥＤ光源部１０３の回転がロックされるので、ＬＥＤ光源１０３の光軸の角度調整が容易となる。特に、角度毎に基台部１２２２Ｃの両端において交互に凹部Ｐ１〜Ｐ４が設けられるので、小さいスペースでも凹部を設けることが可能となり、基台部１２２２Ｃ、ひいては光照射ユニット１２Ａを小型化することができる。
【００６０】
なお、スペースを考慮しないのであれば、基台部１２２２Ｃの片側のみに全ての凹部を設けるようにし、それに合わせてピン部材等によるロック機構も片側のみにしてもよい。または、基台部１２２２Ｃの両側それぞれに全ての凹部を設け、ロック機構を両側に配してもよい。
【００６１】
このように本実施形態によれば、調整ネジ１２５を回動させることにより、ＬＥＤ光源部１０３の光軸を真下を向いた状態（角度ゼロ）から超音波プローブ１１側へ向いた状態（角度１０°、２０°、３０°）まで段階的に調整できるので、従来のようにカプラを用いずとも測定深度を変化させることが可能となる。これにより、カプラを用いることによる作業性、コスト、重量の点での問題点が解消されると共に、特にＬＥＤ光源を用いることによる検出信号のＳ／Ｎ比の悪化の問題を解消できる。また、ＬＥＤ光源部１０３の光軸を超音波プローブ１１側へ向けた場合は、超音波振動子直下における光量を増加させることができる。
【００６２】
以上、本発明の実施形態について説明したが、本発明の趣旨の範囲内であれば、実施形態は種々の変形が可能である。
【００６３】
例えば、第１ギア１２２４は光源下部カバー１２２２と一体化され、シャフト１２２３はユニット下部ケース１２３に固定され、調整ネジ１２５を回動させると、第１ギア１２２４と共に光源下部カバー１２２２がシャフト１２２３周りに回転するようにしてもよい。
【００６４】
また例えば、シャフト１２２３の一端部に指し棒部材を一体的に設け、ユニット下部ケース１２３の側面に角度を表す目盛を記載し、調整ネジ１２５の回動に応じて指し棒部材が回転して目盛を指すようにし、光源部１０３がいずれの角度で調整されているかをユーザに知らせるようにしてもよい。
【００６５】
また例えば、光照射部１２Ａと１２Ｂにおける各シャフト１２２３を例えばプーリーとベルトによって連結するようにし、光照射部１２Ａにおける調整ネジ１２５を回動させると光照射部１２Ａにおける光源部１０３が回転するのと連動して光照射部１２Ｂにおける光源部１０３が回転するようにしてもよい（この場合、光照射部１２Ｂ側に調整ネジやギアは不要）。
【００６６】
また例えば、回転ロック機構について、凹部とピン部材の爪部の凹凸関係は逆にしてもよい。
【００６７】
また例えば、上記実施形態では光源部の回動は調整ネジを用いた手動によるものであったが、モーター等によって自動的に回動させてもよい。
【００６８】
更に、回動可能な光源部としてはＬＥＤ光源部の代わりに、例えば、半導体レーザー素子や有機発光ダイオード素子を用いた光源部としてもよい。
【符号の説明】
【００６９】
１  光音響波検出装置
１１  超音波プローブ
１２Ａ、１２Ｂ  光照射ユニット
１２１  ユニット上部ケース
１２２  ＬＥＤ光源ユニット
１２２１  光源上部カバー
１２２２  光源下部カバー
１２２３  シャフト
１２２４  第１ギア
１２３  ユニット下部ケース
１２４  電源ケーブル
１２５  調整ネジ
１２６  第２ギア
１２７  ピン部材
１２８  バネ
【図１】
2016049214.tif 000003
【図２】
2016049214.tif 000004
【図３】
2016049214.tif 000005
【図４】
2016049214.tif 000006
【図５】
2016049214.tif 000007
【図６Ａ】
2016049214.tif 000008
【図６Ｂ】
2016049214.tif 000009
【図７】
2016049214.tif 000010
【図８】
2016049214.tif 000011
【図９】
2016049214.tif 000012
【図１０】
2016049214.tif 000013